(57)【要約】【課題】  コストが掛からず、騒音の発生しない棚板及び陳列棚を提供する。【解決手段】  金属製のベースと摺動レールとを備え、ベースは、上面に前後方向に伸びる溝が左右方向に複数設けてあり、摺動レールは、ベースの溝に取り付けてあり、摺動レールの上面は、摺動性を有し、ベースの上面から突出している。【選択図】      図１
2018015441.tif 000002
【特許請求の範囲】
【請求項１】
金属製のベースと摺動レールとを備え、ベースは、上面に前後方向に伸びる溝が左右方向に複数設けてあり、摺動レールは、ベースの溝に取り付けてあり、摺動レールの上面は、摺動性を有し、ベースの上面から突出していることを特徴とする棚板。
【請求項２】
請求項１記載の棚板を備えることを特徴とする陳列棚。
【発明の詳細な説明】
【技術分野】
【０００１】
本発明は、小売店舗等において使用される棚板及び陳列棚に関する。
【背景技術】
【０００２】
コンビニエンスストアなどの小売店舗においては、前側（手前側）に陳列されている商品を取り出した際に、その後側（奥側）の商品を自重によって前側に移動させることにより、商品を再陳列する労力を省くことのできる陳列棚が用いられている。このような陳列棚において従来の棚板は、特許文献１に示すように、ローラーを複数備え、ローラーの回転によって商品を後側から前側へ送るものであった。
【先行技術文献】
【特許文献】
【０００３】
【特許文献１】特開２００１−２９１８６号公報
【発明の概要】
【発明が解決しようとする課題】
【０００４】
しかしながら、このような従来の棚板は、ローラーの軸が折れて破損しやすく、修繕する際は破損した一部のローラーのみならず、連結するユニットごと交換しなければならないため、コストや手間が掛かっていた。また、商品がローラー上を移動する際に騒音が発生するという点も問題であった。
【０００５】
本発明は、上記事情を鑑みたものであり、耐久性が高く、騒音の発生しない棚板及び陳列棚を提供することを目的とする。
【課題を解決するための手段】
【０００６】
請求項１に記載の発明は、金属製のベースと摺動レールとを備え、ベースは、上面に前後方向に伸びる溝が左右方向に複数設けてあり、摺動レールは、ベースの溝に取り付けてあり、摺動レールの上面は、摺動性を有し、ベースの上面から突出していることを特徴とする棚板である。
【０００７】
請求項２に記載の発明は、請求項１に記載の棚板を備えることを特徴とする陳列棚である。
【発明の効果】
【０００８】
本発明によれば、摺動レールが溝に取り付けてあるため、棚板上面の段差が小さく、商品が倒れにくい。商品は摺動レールの上面を後側から前側へ滑らかに移動するため、騒音が発生しない。また、金属製のベースは強度が高いため破損のおそれがなく、摺動レールが破損した場合は、破損した摺動レールのみを交換可能であるため、維持費が低減できる。
【図面の簡単な説明】
【０００９】
【図１】図２のＡ−Ａ線断面図である。
【図２】棚板の平面図である。
【図３】棚板の底面図である。
【図４】（ａ）は図２のＢ−Ｂ線断面図であり、（ｂ）は棚板の側面図である。
【発明を実施するための形態】
【００１０】
以下、本発明の実施の形態を図面に基づいて説明する。この棚板は、後側から前側へ向かって低くなるよう、前後方向に傾斜させた状態で陳列棚に組み付けられ、商品を自重によって後側から前側へ移動させることができるものである。なお、前後とは、陳列棚に設置された棚板において、客から見て手前側を前側、奥側を後側とし、左右とは、図２のように棚板を平面視した際の左右を示すものとする。
【００１１】
この棚板は、図１及び図２に示すように、平面視矩形のベース１が前後方向に伸びる摺動レール２を左右方向に並列して複数備える。ベース１は枠材によって支持されており、詳しくは、図２乃至図４に示すように、左右両側に配置され前後方向に伸びる２つの側面枠材３１ａ，３１ｂと、側面枠材３１ａ，３１ｂの前端と後端にそれぞれ架設してある前枠材３２と後枠材３３によって、ベース１の四方を枠組みしてあり、さらに、前枠材３２と後枠材３３の前後方向中間部において、側面枠材３１ａ，３１ｂに架設された中枠材３４によって補強してある。前枠材３２の前端上方には、商品が前側へ落下することを防ぐ断面略Ｌ字形状のストッパー３６が備えられ、ストッパー３６は、その上方に配置される前押さえ部材３５によって固定されている。また、後枠材３３の上方には、後押さえ部材３７が備えてある。ベース１の前端と後端に、前押さえ部材３５と後押さえ部材３７が夫々位置することにより、ベース１を固定し、且つ、ベース１に取り付けられた摺動レール２の前後方向の移動を規制している。
【００１２】
ベース１は金属製であり、例えばアルミニウム製にすることができる。ベース１を金属製とすることにより、棚板の強度を高められるので棚板が破損するおそれがない。また、金属光沢によって高級感や清潔感が得られ、意匠性も良い。ベース１は図１に示すように、複数枚を左右方向に連結させて構成してもよいが、一枚で構成してもよい。
【００１３】
ベース１の上面には、前後方向に伸びる溝１１が左右方向に複数設けてある。具体的には、図１に示すように、ベース１は上面の天板部１２から下方に溝１１を有し、溝１１は側壁１３と底壁１４からなる。側壁１３の上端部には、溝１１の内側へ向けて突出する突部１５が設けてあり、底壁１４の下方には、断面が下向きのＴ字形状をなす支持脚１６が設けてある。棚板に陳列した商品の荷重は、棚板全体に掛かるのではなく、摺動レール２を介して溝１１に伝わり、最終的には支持脚１６に掛かるため、商品の荷重で棚板全体が撓むことがない。支持脚１６によって、ベース１の強度はより高められるが、支持脚１６は必ずしも全ての溝１１に設けてある必要はなく、例えば１つおきの溝１１に設けてもよい。
【００１４】
摺動レール２は、断面略矩形の棒状のものであり、ベース１の溝１１に取り付けてある。摺動レール２の側面には、突起２０が設けてあり、摺動レール２が溝１１の上方へ移動した時は、溝１１の突部１５が摺動レール２の突起２０を係止して、摺動レール２が溝１１から脱落するのを防止する。突起２０は、図１に示すように、必ずしも摺動レール２の左右両側面に設けてある必要はなく、左右どちらかの側面にのみ設けてもよいし、突起２０を両側面に設けた摺動レール２と片方の側面に設けた摺動レール２とを組み合わせて用いてもよい。また、突起２０の数は任意であり、一つに限らず、前後方向に複数設けてもよい。
【００１５】
摺動レール２の上面は、ベース１の天板部１２より上方に突出しており、本発明の棚板に陳列された商品は、その底面が摺動レール２の上面と接触するが、摺動レール２の上面とベース１の天板部１２との段差は小さいため、陳列した商品は倒れ難い。さらに、摺動レール２の上面は、平坦且つ摺動性を有するため、音を立てることなく商品を滑らかに移動させることが可能である。そして、摺動レール２は、摺動性を有する樹脂の成型品であるため、上面のみに摺動性の樹脂を塗装したものと比べて、塗装が剥離して摺動性が低下する等のおそれがなく、耐久性が高い。摺動性を有する樹脂としては、例えば、ポリアセタールやポリエチレン等を使用することができる。
【００１６】
このように構成した本発明は、商品が陳列される棚板部分において、部品点数が少なく、複雑な凹凸もない。そのため、製造コストを抑えられるばかりか、清掃も極めて容易であり、メンテナンスに手間やコストが掛からない。
【００１７】
本発明は、上記の実施形態に限定されない。例えば、棚板はベースと摺動レールの構成が上述のとおりであれば、その他の部分については自由に設計できる。また、棚板は後側から前側へ向かって低くなるよう、前後方向に傾斜させた状態であれば、陳列棚への組み付け方法は任意である。
【符号の説明】
【００１８】
１  ベース
２  摺動レール
１１  溝
１２  天板部
１３  側壁
１４  底壁
１６  支持脚
【図１】
2018015441.tif 000003
【図２】
2018015441.tif 000004
【図３】
2018015441.tif 000005
【図４】
2018015441.tif 000006